(57)【特許請求の範囲】
【請求項１】
水と接触することのある建具の下枠であって、
表面に且つ長さ方向に亘って、水抜き部に連なる網目状の溝を形成したことを特徴とする下枠。
【請求項２】
水と接触することのある建具の下枠であって、
表面に且つ長さ方向に亘って、水抜き部に連なると共に相互の排水路となる網目状の間隙を存して多数の凸部を形成したことを特徴とする下枠。
【請求項３】
前記多数の凸部は、前記下枠をエンボス状に加工して形成されていることを特徴とする請求項２に記載の下枠。
【請求項４】
水と接触することのある建具の下枠であって、
下枠本体と、前記下枠本体の表面に敷設した導水プレートとを備え、
前記導水プレートの表面には、前記下枠本体の水抜き部に連なると共に相互の排水路となる間隙を存して多数の凸部が形成されていることを特徴とする下枠。
【請求項５】
前記下枠の表面にはレールが突設され、
前記導水プレートは、少なくとも前記レールの部分で複数のピースプレートに分割されていることを特徴とする請求項４に記載の下枠。
【請求項６】
前記多数の凸部は、親水加工されていることを特徴とする請求項２ないし５のいずれかに記載の下枠。
【請求項７】
水と接触することのある建具の下枠であって、
下枠本体と、前記下枠本体の表面に且つ長さ方向に亘って敷設したモヘアとを備え、
前記モヘアは、前記下枠本体の水抜き部に連なるベース部と、前記ベース部に植設した起毛とから成ることを特徴とする下枠。
【請求項８】
請求項１ないし７のいずれかに記載の下枠を備えていることを特徴とする建具。
【発明の詳細な説明】
【０００１】
【発明の属する分野】
本発明は、例えば浴室の折戸、引き戸、ドアや屋外に面した引違い窓等の、水と接触することのある下枠およびこれを備えた建具に関するものである。
【０００２】
【従来の技術】
図１０は、従来の一般的な引違い窓の下枠１０１を表しており、この種の引違い窓の下枠１０１は、下枠１０１上に侵入した雨水を円滑に排水することができるように、見込み方向において、屋内側の見切り片１０２から、内レール１０３、シール取付部１０４、外レール１０５にかけて、階段状に形成されている。また、内外両レール１０３，１０５には、両端部や中間部に水抜き孔１０６が形成され、侵入した雨水を外部に適切に排水できるようになっている。
【０００３】
【発明が解決しようとする課題】
ところで、このような従来の下枠１０１では、同図に示すように、浸入した雨水Ｄが排水された後に、表面張力により一部の雨水Ｄが下枠表面に残ることがある。かかる場合に、残った雨水溜りは生活者に不快感を与えると共に、乾燥するまでに時間がかかり、カビや汚れの発生原因となる問題があった。
【０００４】
本発明は、下枠上に侵入した水を速やかに排出または乾燥させることができる下枠およびこれを備えた建具を提供することをその課題としている。
【０００５】
【課題を解決するための手段】
本発明の下枠は、水と接触することのある建具の下枠であって、表面に且つ長さ方向に亘って、水抜き部に連なる網目状の溝を形成したことを特徴とする。
【０００６】
この構成によれば、下枠の表面に網目状の溝が形成されているために、下枠上に侵入した水は、これより低いこの溝に流れ込むため、排水が促され且つ下枠上に残る水の総量を減ずることができる。すなわち、溝により下枠に浸入した水の接触面積が増え、浸入した水の表面張力が弱まるため、表面張力により下枠に侵入した水が分離することなく一体となって水抜き部へ導かれ、下枠上に残留し難くなる。
【０００７】
本発明の他の下枠は、水と接触することのある建具の下枠であって、表面に且つ長さ方向に亘って、水抜き部に連なると共に相互の排水路となる網目状の間隙を存して多数の凸部を形成したことを特徴とする。
【０００８】
この構成によれば、下枠の表面に多数の凸部が形成されることにより、下枠と下枠上に侵入した水との接触面積が広くなるため、水の表面張力が弱まる。このため、下枠上に侵入した水は凸部相互間に形成された排水路（凹部）に流れ込み、この排水路を通って水抜き部に排水される。したがって、下枠上に侵入した水は一体となって水抜き部へ導かれ、下枠上に残留しにくくなる。
【０００９】
この場合、多数の凸部は、前記下枠をエンボス状に加工して形成されていることが好ましい。
【００１０】
この構成によれば、下枠に形成する多数の凸部を機械的加工法により形成することができるため、これを容易に形成できると共に、凸部を形成するためのコストを抑えることができる。
【００１１】
本発明の他の下枠は、水と接触することのある建具の下枠であって、下枠本体と、下枠本体の表面に敷設した導水プレートとを備え、導水プレートの表面には、下枠本体の水抜き部に連なると共に相互の排水路となる間隙を存して多数の凸部が形成されていることを特徴とする。
【００１２】
この構成によれば、排水を促す凸部形成のための加工を、下枠に直接施さずにすみ、下枠の表面に多数の凸部を容易に形成することができる。さらに、既存の平坦な下枠に対し、多数の凸部を形成した導水プレートを後から敷設することも容易である。
【００１３】
この場合、下枠の表面にはレールが突設され、導水プレートは、少なくともレールの部分で複数のピースプレートに分割されていることが好ましい。
【００１４】
この構成によれば、複数のピースプレートを組み合わせて導水プレートを構成することができる。各導水プレートを単純な形状とすることができるため、生産性を向上させることができる。
【００１５】
これらの場合、多数の凸部は、親水加工されていることが好ましい。
【００１６】
この構成によれば、配設した多数の凸部が親水加工されているために、凸部表面に浸入した水が水滴として残留することがなく、下枠上に浸入した水を速やかに排水路となる凹部を介して排水させることができると共に、下枠の乾燥を促進することができる。
【００１７】
本発明の他の下枠は、水と接触することのある建具の下枠であって、下枠本体と、下枠本体の表面に且つ長さ方向に亘って敷設したモヘアとを備え、モヘアは、下枠本体の水抜き部に連なるベース部と、ベース部に植設した起毛とから成ることを特徴とする。
【００１８】
この構成によれば、下枠本体の表面に敷設したモヘアの起毛により、モヘア上に侵入した水との接触面積が広くなるため、水の表面張力が弱まる。このため、侵入した水は起毛相互間の間隙に流れ込み、水抜き部に排水される。したがって、下枠上に侵入した水は一体となって水抜き部へ導かれ、下枠上に残留しにくくなる。なお、モヘアの起毛は、比較的毛足の短いもの（１ｍｍ〜２ｍｍ程度）が、好ましい。また、下枠の表面にはレール等が突設されている場合には、モヘアは、少なくともレールの部分で複数のモヘア片に分割されていることが好ましい。
【００１９】
本発明の建具は、上記に記載の下枠を備えたことを特徴とする。
【００２０】
この構成によれば、侵入した水が残留しにくい構造をとる下枠を備えることにより、下枠にカビや汚れの原因となり得る水溜りができるのを防止可能な建具を提供することができる。
【００２１】
【発明の実施の形態】
以下、本発明の一実施形態に係る下枠およびこれを備えた建具を適用した浴室の出入口建具について、添付した図面を参照しながら詳細に説明する。図１ないし図３に示すように、浴室Ａの出入口には、建具として、３枚の引き戸本体２とこれを開閉自在に支持する枠体３とから構成された３枚引き戸１が設けられている。そして、実施形態の３枚引き戸１では、浴室Ａの防水パン（浴室床）４、枠体３の下枠２２および脱衣室Ｂの床面とは、段差が生じないよう略面一に配設されている。
【００２２】
各引き戸本体２は、いずれもアルミニウムの形材で形成した上框１１、下框１２および両縦框１３，１３を方形に框組し、これに樹脂等のパネル体１４を組み込んで構成されている。同様に、枠体３は、いずれもアルミニウムの形材で形成した上枠２１、下枠２２および両縦枠２３，２３を枠組みして構成されている。
【００２３】
そして、３枚の引き戸本体２のうち、脱衣室Ｂ側に位置する引き戸本体２ｃは縦枠２３に固定されており、中間の引き戸本体２ｂと浴室Ａ側の引き戸本体２ａとがスライドして３枚引き戸１が開閉される。また、浴室Ａ側の引き戸本体２ａには、バリアフリーを考慮した大型のハンドル２５が内外に取り付けられており、このハンドル２５を持って浴室側の引き戸本体２ａを開閉移動させると、中間の引き戸本体２ｂもこれに連なって開閉移動する。
【００２４】
ここで、本発明の要部を構成する下枠２２について詳細に説明する。図２ないし図４に示すように、下枠２２は、浴室Ａ側を防水パン４のリブ片５に固定した下枠支持ブラケット６に支持され、脱衣室Ｂ側を脱衣室Ｂの床面に支持されており、全体として脱衣室Ｂ側から浴室Ａ側に向かって僅かに傾斜している。また、下枠２２は、下枠本体３１と、下枠本体３１の上面に敷設した導水プレート３２とを有し、僅かに傾斜したこの導水プレート３２の上面をベース面３２ａとして、下枠２２上の排水を浴室Ａに導き得るようになっている。
【００２５】
下枠本体３１は、その主体を為す下枠中空部３４と、下枠中空部３４の上面に立設した３本の下レール部３５，３５，３５と、３本の下レール部３５，３５，３５間において下枠本体３１の上面に立設した上向きの２つのシール片取付部３６，３６と、下枠中空部３４の脱衣室Ｂ側の端部に形成した止水片装着溝３７と、下枠中空部３４の脱衣室Ｂ側に延びる下枠見切り片３８とで、一体に形成されている。
【００２６】
また、下枠中空部３４の上面において、浴室Ａ側端部には防水パン４の上面と面一となる低凸部３９が形成され、また止水片装着溝３７の形成凸部４０と下枠見切り片３８とは、水返しとなるように幾分高く形成されている。また、２つのシール片取付部３６，３６には、先端が見込み方向に水平に延び、隣接する引き戸本体２に水密に摺接するシール片４２が装着され、また止水片装着溝３７には、上向きに立ち上がるようにして止水片４３が装着されている。
【００２７】
上述したように、下枠中空部３４の上面には浴室Ａ側から順に、低凸部３９、浴室Ａ側の下レール部３５、浴室Ａ側のシール片取付部３６、中間の下レール部３５、脱衣室Ｂ側のシール片取付部３６、脱衣室Ｂ側の下レール部３５および形成凸部４０が、突出形成されている。また、これら突出部分間に形成した６つの平坦部分には、６枚のピースプレート４５に分割した導水プレート３２が敷設されている。好ましくは、各ピースプレート４５は、防水性の接着剤等で下枠本体３１の上面に接着固定されている。
【００２８】
そして、防水パン４の上面、低凸部３９の頂面および導水プレート３２の表面が面一に配設され、全体として所定の排水勾配となる下り傾斜のベース面３２ａが構成されている。また、このベース面３２ａに合わせて、上記の３つの下レール部３５および２つのシール片取付部３６には、それぞれ見付け方向に分散して複数個の水抜き部（孔または切欠き部）４６が形成されている。すなわち、ベース面３２ａ上に侵入した排水は、その排水勾配に従って浴室Ａ側に流れ、その際、下レール部３５およびシール片取付部３６の部分では、水抜き部４６を通過して流下する。
【００２９】
各ピースプレート４５は、見込み方向において下枠２２と略同一の長さを有し、樹脂等で一体に形成されている。また、各ピースプレート４５の上面には、千鳥或いは格子状に多数の凸部４５ａが形成されている（図２参照）。言い換えれば、各ピースプレート４５の上面全域は、多数の凸部４５ａと、この多数の凸部４５ａ以外の間隙部分、すなわちベース面３２ａを構成する網目状の凹部（排水路）４５ｂとで、一体に形成されている。そして、上記の各水抜き部４６がこの凹部４５ｂに連通している。
【００３０】
このような構成では、下枠（導水プレート３２）２２上に侵入した浴室Ａの排水は、導水プレート３２の各凸部４５ａから網目状の凹部４５ｂに流れ込み、この凹部４５ｂから適宜、水抜き部４６を通って、最終的に防水パン４の上面に流れ下る。すなわち、各凸部４５ａ上の排水は、これより低い凹部４５ｂに流れ込む。これにより、凹部４５ｂの水位が上がるため、凹部４５ｂの排水はその排水勾配に倣って下流側に流下する。したがって、導水プレート３２が撥水性のものでない限り、導水プレート（下枠２２）３２に残る排水の総量を極端に少なくすることができる。
【００３１】
なお、排水の流れを促進すべく、少なくとも導水プレート３２の各凸部４５ａが親水加工されていることが好ましい。これにより、下枠２２に侵入した排水は極端に残留しにくくなる。また、防水パン４の上面に多数の凸部を持つデザインが施されている場合には、デザインの統一を図るべく、ピースプレート（導水プレート３２）４５の多数の凸部４５ａもこれに倣って形成することが好ましい。
【００３２】
次に、図５を参照して実施形態の変形例について説明する。同図に示すように、この変形例では、下枠本体３１の上面には、導水プレート３２に代えてモヘア４８が敷設されている。すなわち、下枠中空部３４の上面に形成した突出部分３９、３５、３６、３５、３６、３５および４０の各間隙となる６つの平坦部分には、６枚のモヘア片４９に分割したモヘア４８が敷設されている。
【００３３】
この場合、各モヘア片４９は、ベース部４９ｂとベース部４９ｂに植設した起毛４９ａとから成り、起毛４９ａの長さは、比較的毛足の短いもの（数ミリ）となっている。このような構成では、モヘア４８上に排水が侵入すると、モヘアと排水との接触面積が増し、その表面張力が弱まるため、排水は水抜き孔４６に向かって円滑に流れることになる。したがって、下枠２２上に残留する排水を極端に少なくすることができる。
【００３４】
次に、本発明の第２実施形態に係る引違い窓について説明する。図６ないし図８に示すように、引違い窓５１は、窓枠５２に内障子５３、外障子５４および網戸５５を組み込んだものであり、窓枠５２および内外各障子５３，５４の見込み方向の中間位置に断熱材５６を介設した、いわゆる断熱サッシで構成されている。外障子５４は、窓枠５２に形成した屋外側の外上レール５７ａおよび外下レール５７ｂに案内されて開閉し、内障子５３は窓枠５２に形成した屋内側の内上レール５８ａおよび内下レール５８ｂに案内されて開閉する。
【００３５】
各障子５３、５４は、いずれもアルミニウムの形材等で形成した上框６１、下框６２および両縦框６３，６３を框組みし、これにガラス等のパネル体６４を嵌め込んで構成されている。そして、外障子５４と内障子５３の相互の召合せ側の縦框６３，６３間には、クレセント錠６５が取り付けられている。
【００３６】
また、窓枠５２は、屋内外を熱的に絶縁する断熱材５６を介設した上枠７１、下枠７２および両縦枠７３を枠組みして構成されている。すなわち、上枠７１は、見込み方向に断熱材５６を挟み込んだ外上枠７１ａと内上枠７１ｂとで構成され、下枠７２は見込み方向に断熱材５６を挟み込んだ外下枠７２ａと内下枠７２ｂとで構成され、さらに各縦枠７３は、見込み方向に断熱材５６を挟み込んだ外縦枠７３ａと内縦枠７３ｂとで構成されている。
【００３７】
ここで、本発明の要部を構成する下枠７２について詳細に説明する。図７ないし図９に示すように、下枠７２は、アルミニウムの形材で形成された外下枠７２ａおよび内下枠７２ｂと、樹脂性の断熱材５６と、断熱材５６の上側に配設したシール取付部材７５と、外下枠７２ａの屋外側に装着した水切り部材７６から成り、断熱材５６を介して外下枠７２ａと内下枠７２ｂとが見込み方向に接合されている。シール取付部材７５は、断熱材５６を上側から覆った状態で内下枠７２ｂに掛止め固定され、その屋外側には、外障子５４に摺接するシール部材７７が横向きに装着されている。
【００３８】
外下枠７２ａは、水切り部材７６を装着する屋外側の水切り装着部８１と、水切り装着部８１に連なる外側ベース部８２と、外側ベース部８２の上面に立設した下網戸レール８３と、中間ベース部８５を上板とする外中空部８４と、外側ベース部８２および中間ベース部８５間に立設した外下レール５７ｂと、中間ベース部８５の屋内側に連なる断熱材外接合部８６とで、一体に形成されている。
【００３９】
同様に、内下枠７２ｂは、内側ベース部８９と、内側ベース部８９の屋外側に立設した内下レール５８ｂと、内側ベース部８９の屋外側に垂設した断熱材内接合部９０と、内側ベース部８９から屋内側に逆「Ｌ」字状に延びる水返し部９１とで、一体に形成されている。
【００４０】
この場合、内側ベース部８９、シール取付部材７５、中間ベース部８５および外側ベース部８２は、その上面が屋外に向かって僅かに傾斜しており、且つ水返し部９１から水切り装着部８１に向かって階段状に形成されている。これにより、下枠７２上の雨水を屋外に円滑に導き得るようになっている。この場合も第１実施形態と同様に、下網戸レール８３、外下レール５７ｂおよび内下レール５８ｂには、それぞれ見付け方向に分散して複数個の水抜き部（孔または切欠き部）９３が形成されている。すなわち、下枠７２上に侵入した雨水は、屋外に向かって階段状に流れ、その際、各レール８３，５７ｂ，５８ｂの部分で水抜き部９３を通過して流下する。
【００４１】
そして、本実施形態の下枠７２では、その内側ベース部８９にエンボス状に多数の凸部９５ａが形成されている。この場合も、第１実施形態の導水プレート３２と同様に、内側ベース部８９には、その表面の略全域に、千鳥或いは格子状に多数の凸部９５ａが形成されている（図９参照）。言い換えれば、内側ベース部８９の上面は、多数の凸部９５ａと、この多数の凸部９５ａ以外の間隙部分、すなわち網目状の凹部（排水路）９５ｂとで、一体に形成されている。そして、上記の各水抜き部９３がこの凹部９５ｂに連通している。
【００４２】
このような構成では、下枠（内側ベース部８９）７２上に侵入した雨水は、各凸部９５ａから網目状の凹部９５ｂに流れ込み、この凹部９５ｂから適宜、水抜き部９３を通って、最終的に屋外に排水される。すなわち、各凸部９５ａ上の雨水は、これより低い凹部９５ｂに流れ込む。これにより、凹部９５ｂの水位が上がるため、凹部９５ｂの雨水はその排水勾配に倣って下流側に流下する。したがって、内側ベース部８９に残る排水の総量を極端に少なくすることができる。なお、雨水の流れを促進すべく、少なくとも各凸部９５ａが親水加工されていることが好ましい。また、シール取付部材７５、中間ベース部８５および外側ベース部８２にも、上記と同様に多数の凸部９５ａを形成してもよい。
【００４３】
ところで、上記の実施形態では、内側ベース部８９に多数の凸部９５ａを形成しているが、逆に、網目状に溝部を形成する構造としてもよい。すなわち、上記の実施形態で言えば、内側ベース部８９を他の部分より厚肉に形成し、これに縦横に溝部を形成する。このような構成でも、上記のような作用・効果を奏することになる。
【００４４】
【発明の効果】
以上のように、本発明の下枠およびこれを備えた建具によれば、建具の下枠に水が侵入してきても、速やかにこれを排水し乾燥させることができるので、下枠に侵入した水が水溜りとして残留することに起因するカビや汚れを防止することができる。
【図面の簡単な説明】
【図１】本発明の第１実施形態を示す浴室の引き戸を脱衣室側から見た正面図である。
【図２】本発明の第１実施形態を示す浴室の横断面図である。
【図３】本発明の第１実施形態を示す浴室の縦断面図である。
【図４】本発明の第１実施形態を示す浴室の下枠の縦断面図である。
【図５】本発明の第１実施形態の変形例を示す浴室の下枠の縦断面図である。
【図６】本発明の第２実施形態を示す引違い窓の正面図である。
【図７】本発明の第２実施形態を示す引違い窓の横断面図である。
【図８】本発明の第２実施形態を示す引違い窓の縦断面図である。
【図９】本発明の第２実施形態を示す引違い窓の下枠の部分斜視図である。
【図１０】従来の一般的な引違い窓の下枠の部分斜視図である。
【符号の説明】
１  ３枚引き戸、２  引き戸本体、３  枠体、２２  下枠、３１  下枠本体、３２  導水プレート、３２ａ  ベース面、４５  ピースプレート、４５ａ  凸部  ４５ｂ  凹部、４６  水抜き部、４８  モヘア、５１  引違い窓、５２  窓枠、５３  内障子、５４  外障子、７１  下枠、外下枠  ７１ａ、内下枠  ７１ｂ、８５  中間ベース部、９３  水抜き部、９５ａ  凸部、９５ｂ  凹部
【図１】
0003967928.tif 000002
【図２】
0003967928.tif 000003
【図３】
0003967928.tif 000004
【図４】
0003967928.tif 000005
【図５】
0003967928.tif 000006
【図６】
0003967928.tif 000007
【図７】
0003967928.tif 000008
【図８】
0003967928.tif 000009
【図９】
0003967928.tif 000010
【図１０】
0003967928.tif 000011